(57)【要約】【課題】本発明は、浴室や洗面所で使用したり、温泉などの入浴施設へ携帯できる、石鹸を収納する連結蓋式縦置き型石鹸箱を提供する。【手段】縦長箱型の本体を設け、前面に石鹸の取り出し口を設け、蓋を一体的に連結している形で形設し、蓋を開けた状態を保持する角先ストッパーを設け、本体下部に水切り穴を形成し、その水切り穴をふさぐ形で水切りガイド板を設け、水切りガイド板は箱前面下部から突き出てシンクまで伸びる傾斜面となり、両側縁にはわずかに立ち上がった水こぼれ防止部が形成され、短く突き出る形で安定凸部を設け、箱背面下部には、携帯する時に利用する底カバーを本体の背面へと折り返す形で連結して設け、底カバーを留める底カバーストッパー凸部を設けた連結蓋式縦置き型石鹸箱。【選択図】図２
2014217713.tif 000002
【特許請求の範囲】
【請求項１】
石鹸を縦置きにして入れる縦長箱型の本体を設け、その本体の前面に石鹸が出し入れしやすいように、大きめに切り開いて取り出し口を設け、取り出し口を覆い隠せる形で、蓋を、本体の背面上端辺において一体的に連結している形で形設し、蓋を開けた状態を保持するために、蓋側面の左右いずれか一方を他方より数ミリ長く形成して角先ストッパーを設け、本体下部の底板には水切り穴を形成し、その水切り穴をふさぐような形で水切りガイド板を設けるが、水切りガイド板は箱前面下部から大きく突き出てシンクまで伸びる傾斜面となり、傾斜面の両側縁にはわずかに立ち上がった水こぼれ防止部が形成され、箱背面下部には、石鹸箱として携帯する時に利用する底カバーを取り付け、箱両側壁の最下端に短く突き出る形で安定凸部を設け、水切り穴を覆う底カバーを、本体背面下端辺において一体的に連結され、本体の背面へと折り返す形で設け、その底カバーの末端辺の中央に切り欠き凹部を設け、本体背面に、底カバーを差し込み留めて収納固定するための底カバーストッパー凸部を設けたことを特徴とする連結蓋式縦置き型石鹸箱である。
【発明の詳細な説明】
【技術分野】
【０００１】  本発明は、浴室や洗面所で使用したり、温泉などの入浴施設へ携帯できる、石鹸を収納する連結蓋式縦置き型石鹸箱に関するものである。
【背景技術】
【０００２】  従来では、石鹸箱の多くは横型で、石鹸を横置きにして使用していた。
【発明の概要】
【発明が解決しようとする課題】
【０００３】  従来、次のような問題点があった。
（イ）石鹸を横置きにして使用すると、石鹸が石鹸箱に接触する面積が広くなり、貼り        付いたりして取り出しにくかった。
（ロ）石鹸箱の多くは蓋と本体が分離型の形状で、使用する度に蓋を外して、また被せ        なければならず不便で、うっかり蓋を開けたままにすると、シャワーなどの水が        かかり、石鹸がドロドロにとけたりした。
（ハ）横型石鹸箱の底面に設けられた水切りは、むき出しの形状のため、水や石鹸液の        ヌメリが漏れ出て、旅行や入浴施設などへの携帯や持ち運びに適さなかた。
（ニ）石鹸が小さくなると使いづらくなったり、排水溝に落とし損じたりして、最後の        ひとかけらまでを使い切ることができなかった。
（ホ）横型の石鹸箱は置き場所をとり、狭いスペースには置けなかった。
本発明は、以上の問題点を解決するためになされたものである。
【課題を解決するための手段】
【０００４】  石鹸を縦置きにして入れる縦長箱型の本体を設け、その本体の前面に石鹸が出し入れしやすいように、大きめに切り開いて取り出し口を設け、取り出し口を覆い隠せる形で、蓋を、本体の背面上端辺において一体的に連結している形で形設し、蓋を開けた状態を保持するために、蓋側面の左右いずれか一方を他方より数ミリ長く形成して角先ストッパーを設け、本体下部の底板には水切り穴を形成し、その水切り穴をふさぐような形で水切りガイド板を設けるが、水切りガイド板は箱前面下部から大きく突き出てシンクまで伸びる傾斜面となり、傾斜面の両側縁にはわずかに立ち上がった水こぼれ防止部が形成され、箱背面下部には、石鹸箱として携帯する時に利用する底カバーを取り付け、箱両側壁の最下端に短く突き出る形で安定凸部を設け、水切り穴を覆う底カバーを、本体背面下端辺において一体的に連結され、本体の背面へと折り返す形で設け、その底カバーの末端辺の中央に切り欠き凹部を設け、本体背面に、底カバーを差し込み留めて収納固定するための底カバーストッパー凸部を設ける。
本発明は、以上の構成よりなる連結蓋式縦置き型石鹸箱である。
【発明の効果】
【０００５】  （イ）石鹸を縦置きにして使用するので置き場所のスペースをとらず、狭いスペースに        も置いて使用できる。
（ロ）石鹸箱の蓋と本体が一体的に連結する形で、蓋のサイドには角先ストッパーが設        けられていて、角先ストッパーを内側にワンプッシュして押し込めることで蓋を        開けた状態を保持することができる。角先ストッパーをワンプッシュして外側に        押し出すことで蓋が閉まるので、シャワーなどの水が石鹸箱に入らないように、        ワンタッチで蓋を開閉して使うことができる。うっかり蓋を閉め忘れても、蓋が        一体的に連結する形で、屋根のようにのっかっているので、上からかかる水を防        いでくれる。
（ハ）底カバーが水切り穴をふさぐので旅行や入浴施設などへの携帯や持ち運びに便利        である。
（ニ）泡立てネットに入れて石鹸が収納できるので、石鹸が小さくなっても新しい石鹸        にくっつけて使うことができて、排水溝に落とし損じることがなく、最後のひと        かけらまで使い切ることができる。泡立てネット置きとしても使用することがで        きる。
（ホ）石鹸箱に倒れ防止の安定凸部が設けられていて、ちょっとしたことで倒れたりす        る心配がない。
（ヘ）サイズを大きめに形成することで、シャンプー、トリートメント、ブラシや歯ブ        ラシセット、カミソリなどの収納箱にすることもできる。シャンプーなどの使用        後は、ワンタッチで蓋を閉め、浴室の整理がついて美観も良くなる。
（ト）キッチンの食器洗い用スポンジ置きとして、あるいは、サイズを大きめに形成し        てスポンジと洗剤などを一緒に収納できる収納箱として使用することもできる。        その場合は、本体箱前面から大きく突き出してシンクまで伸びる傾斜面の水切り        ガイド板が設けられ、その両側縁にわずかに立ち上がった水こぼれ防止部が形成        されているので、穴から漏れ出る水をシンクへと垂れ流すことができる。スポン        ジの使用後は、ワンタッチで蓋を閉めてスポンジと洗剤を覆い隠して、キッチン        の美観を良くすることができる。
【図面の簡単な説明】
【０００６】
【図１】本発明の外観斜視図
【図２】図１における本発明の蓋を開けた状態を示す斜視図
【図３】図２における石鹸を泡立てネットに入れて使用している状態を示す斜視図
【図４】本発明の内部構造を底から見えやすいように示した斜視図
【図５】本発明において底カバーを本体背面に収納固定した状態を示す斜視図
【図６】本発明をキッチンの流し台に置いて洗剤やスポンジ収納箱として利用する実施例を示す斜視図
【図７】図６における実施例の内部構造を底から見えやすいように示した斜視図
【発明を実施するための形態】
【０００７】  以下、本発明の実施の形態を説明する。
石鹸（４）を縦置きにして入れる縦長箱型の本体（２）を設け、その本体（２）の前面に石鹸（４）が出し入れしやすいように、大きめに切り開いて取り出し口（１２）を設け、取り出し口（１２）を覆い隠せる形で、蓋（１）を、本体の背面上端辺において一体的に連結している形で形設し、蓋（１）を開けた状態を保持するために、蓋側面の左右いずれか一方を他方より数ミリ長く形成して角先ストッパー（５）を設け、その角ストッパー（５）を本体（２）の内側にワンプッシュして押込めて、蓋（１）を開けた状態を保持し、その角ストッパー（５）を外側へとワンプッシュして押し出すことで、蓋（１）が閉まる。本体下部の底板には水切り穴（１０）を形成し、箱背面下部には、石鹸箱として携帯する時に利用する底カバー（７）を取り付け、箱両側壁の最下端に短く突き出る形で安定凸部（３）を設け、水切り穴（１０）を覆う底カバー（７）を、本体背面下端辺において一体的に連結され、本体（２）の背面へと折り返す形で設け、その底カバー（７）の末端辺の中央に切り欠き凹部（１３）を設け、本体背面に、底カバー（７）を差し込み留めて収納固定するための底カバーストッパー凸部（１１）を設ける。
本発明は以上のような構造でこれを使用する時は、石鹸（４）を縦置きに収納して使用する。または、泡立てネットに入った石鹸（６）を縦置きに収納して使用することもできるし、泡立てネット置きとして使用することもできる。
なお、第２実施例として、次の方法がある。
サイズを大きめに形成し、底カバー（７）を取り除いた形で、浴室のシャンプー、トリートメント、ブラシや歯ブラシセット、カミソリなどの収納箱としても同様の使い方が可能である。
なお、第３実施例として、次の方法がある。
底カバー（７）を取り除いた形で、キッチンの食器洗い用スポンジ（８）置きとして、あるいは、サイズを大きめに形成してスポンジ（８）と洗剤などを一緒に収納できる収納箱としても使用することができる。その場合は、水切り穴（１０）をふさぐような形で本体（２）底から箱前面方向へ水切りガイド板（９）を設けるが、水切りガイド板（９）は箱前面下部から大きく突き出てシンクまで伸びる傾斜面となり、傾斜面の両側縁にはわずかに立ち上がった水こぼれ防止部（１４）が形成され、水切り穴（１０）から漏れ出る水をシンクへと垂れ流すことができる。スポンジ（８）と洗剤を使用する時は、蓋（１）をワンタッチで開け、使用後は、蓋（１）をワンタッチで閉めて、スポンジ（８）と洗剤を覆い隠し、キッチンの美観を良くすることができる。
【符号の説明】
【０００８】（１）蓋
（２）本体
（３）安定凸部
（４）石鹸
（５）角先ストッパー
（６）泡立てネットに入った石鹸
（７）底カバー
（８）スポンジ
（９）水切りガイド板
（１０）水切り穴
（１１）底カバーストッパー凸部
（１２）取り出し口
（１３）切り欠き凹部
（１４）水こぼれ防止部
【図１】
2014217713.tif 000003
【図２】
2014217713.tif 000004
【図３】
2014217713.tif 000005
【図４】
2014217713.tif 000006
【図５】
2014217713.tif 000007
【図６】
2014217713.tif 000008
【図７】
2014217713.tif 000009